(57)【特許請求の範囲】
【請求項１】
箱形形状のハウジング内に固定された一対の端子によってハウジング内に収容される電子部品が電気的に接続される電子部品の接続構造において、
前記一対の端子の各端子は、
基部と、前記基部から横方向に伸ばされた突出片と、前記基部から端部に向けて突出片との距離を短くするように横方向に伸ばされ、かつ弾性を有してなる接触片と、
を有してなり
前記ハウジングは、
上面が開口されてなり、
前記端子が前記ハウジング内に収容された場合、前記突出片と前記接触片との間、かつ前記基部の近傍位置に前記ハウジングの壁面から突出して形成され、前記ハウジングの底面あるいは上面を形成する壁と前記突出片を挟持固定させる端子固定部を有し、
前記端子固定部は、
前記ハウジングの底面を形成する壁とで前記突出片を挟持固定させることを特徴とすることを特徴とする電子部品の接続構造。
【請求項２】
前記端子固定部は、
前記ハウジングの側壁に形成されてなることを特徴とする請求項１に記載の電子部品の接続構造。
【請求項３】
前記端子固定部は、
下方に向けて前記ハウジングの壁面との距離が離れるように形成された傾斜面を有してなることを特徴とする請求項１又は２に記載の電子部品の接続構造。
【請求項４】
箱形形状のハウジング内に一対の端子を収容し、電子部品をハウジング内に収納することによって該電子部品を電気的に接続する電子部品の接続構造において、
前記一対の端子の各端子は、
長方形状の天板部の両縁から立設された板状の一対の基部と、前記一対の基部の下端から天板部の長手方向の前方向に延設する一対の突出片と、前記突出片と前記天板部との間の前記一対の基部に前記天板部の長手方向の前方向に延設する一対の接触片と、
を有してなり、
前記一対の接触片は、
前記一対の基部から前記一対の接触片の端部に向けて前記一対の突出片との距離を短くするように練成され、前記一対の突出片と前記天板部との間で弾性を有して形成され、
前記ハウジングは、
前記一対の端子が前記ハウジング内に収容された場合、前記一対の突出片と前記一対の接触片との間、かつ前記一対の基部の近傍位置に前記ハウジングの向かう合う側壁の間の位置で側壁に並列して底壁から立設され、ハウジングの内部の収容空間を２分する分離壁の側面から突出して前記ハウジングの底壁とで前記一対の突出片を挟持固定させ、前記各端子を前記ハウジング内に固定させる端子固定部を有してなる
ことを特徴とする電子部品の接続構造。
【発明の詳細な説明】
【技術分野】
【０００１】
本発明は、端子によって電子部品を電気的に接続させる電子部品の接続構造に関する。
【背景技術】
【０００２】
従来、一対の端子によって電子部品を電気的に接続させる電子部品の接続構造は、ハウジング内に一対の端子が固定して収容され、この一対の端子によって電子部品を電気的に接続させるようにしている。このような電子部品の接続構造は、電子部品と端子との接続信頼性が要求される。このため、電子部品を端子に対して確実に位置決めさせて端子に接続させるようにした電子部品の接続構造が提案されている（例えば、特許文献１参照）。
【０００３】
この特許文献１に記載された電子部品の接続構造は、ハウジングと、ハウジングに組み付けられ押圧により回路保護用の電子部品が電気的に接続される圧接刃を対向配置した端子と、を備えた電子機器に用いられる電子部品の接続構造であって、圧接刃に近接して配置された電子部品に有するリード部を圧接刃へ位置決めさせるための位置決めリブが形成されている。
【先行技術文献】
【特許文献】
【０００４】
【特許文献１】特開２００７−１４９７６２号公報
【発明の概要】
【発明が解決しようとする課題】
【０００５】
しかしながら、この特許文献１に記載の電子部品の接続構造では、端子に装置の縦方向で突出させた係止部が形成され、この係止部によって端子がハウジング底面の所定位置に固定されるようにしているので、接続構造の縦方向での厚みが増加してしまい、結果的に接続構造の薄型化が難しいという問題があった。
【０００６】
本発明は、上記に鑑みてなされたものであって、薄型化することができる電子部品の接続構造を提供することを目的とする。
【課題を解決するための手段】
【０００７】
上述した課題を解決し、目的を達成するために、本発明の請求項１にかかる電子部品の接続構造は、箱形形状のハウジング内に固定された一対の端子によってハウジング内に収容される電子部品が電気的に接続される電子部品の接続構造において、
前記一対の端子の各端子は、
基部と、前記基部から横方向に伸ばされた突出片と、前記基部から端部に向けて突出片との距離を短くするように横方向に伸ばされ、かつ弾性を有してなる接触片と、
を有してなり
前記ハウジングは、
上面が開口されてなり、
前記端子が前記ハウジング内に収容された場合、前記突出片と前記接触片との間、かつ前記基部の近傍位置に前記ハウジングの壁面から突出して形成され、前記ハウジングの底面あるいは上面を形成する壁と前記突出片を挟持固定させる端子固定部を有し、
前記端子固定部は、
前記ハウジングの底面を形成する壁とで前記突出片を挟持固定させることを特徴とする。
【０００８】
また、本発明の請求項２にかかる電子部品の接続構造は、上記の発明において、前記端子固定部は、前記ハウジングの側壁に形成されてなることを特徴とする。
【０００９】
また、本発明の請求項３にかかる電子部品の接続構造は、上記の発明において、前記端子固定部は、下方に向けて前記ハウジングの壁面との距離が離れるように形成された傾斜面を有してなることを特徴とする。
【００１０】
上述した課題を解決し、目的を達成するために、本発明の請求項４にかかる電子部品の接続構造は、箱形形状のハウジング内に一対の端子を収容し、電子部品をハウジング内に収納することによって該電子部品を電気的に接続する電子部品の接続構造において、
前記一対の端子の各端子は、
長方形状の天板部の両縁から立設された板状の一対の基部と、前記一対の基部の下端から天板部の長手方向の前方向に延設する一対の突出片と、前記突出片と前記天板部との間の前記一対の基部に前記天板部の長手方向の前方向に延設する一対の接触片と、
を有してなり、
前記一対の接触片は、
前記一対の基部から前記一対の接触片の端部に向けて前記一対の突出片との距離を短くするように練成され、前記一対の突出片と前記天板部との間で弾性を有して形成され、
前記ハウジングは、
前記一対の端子が前記ハウジング内に収容された場合、前記一対の突出片と前記一対の接触片との間、かつ前記一対の基部の近傍位置に前記ハウジングの向かう合う側壁の間の位置で側壁に並列して底壁から立設され、ハウジングの内部の収容空間を２分する分離壁の側面から突出して前記ハウジングの底壁とで前記一対の突出片を挟持固定させ、前記各端子を前記ハウジング内に固定させる端子固定部を有してなることを特徴とする。
【発明の効果】
【００１１】
本発明の請求項１にかかる電子部品の接続構造は、一対の端子の各端子が縦方向に固定手段を突出させることなく、前記突出片と前記接触片との間のデッドスペースを有効利用して前記端子を前記ハウジングに固定させることができるので、縦方向の寸法を増加させることなく前記端子を前記ハウジング内に固定させることができ、結果的に薄型化することができる。
また、ハウジングが、上面が開口されてなり、前記端子固定部が前記ハウジングの底面を形成する壁とで前記突出片を挟持固定させるようにしているので、前記ハウジングの上面に壁を設けて前記端子を固定させる必要がないため、縦方向の寸法を増加させることなく前記端子を前記ハウジング内に固定させることができ、結果的に薄型化することができる。
【００１２】
本発明の請求項２にかかる電子部品の接続構造は、上述した請求項１と同様の効果を奏するとともに、前記端子固定部が前記ハウジングの側壁に形成されてなるので、縦方向の寸法を増加させることなく前記端子を前記ハウジング内に固定させることができる。
【００１３】
本発明の請求項３にかかる電子部品の接続構造は、上述した請求項１と同様の効果を奏するとともに、前記端子固定部は、下方に向けて前記ハウジングの壁面との距離が離れるように形成された傾斜面を有してなるので、前記一対の端子の各端子を前記ハウジングの上方から該ハウジング内に収容させる際、前記端子固定部と前記ハウジングの底面を形成する壁との間に前記突出片を容易に配置させることができる。
【００１４】
本発明の請求項４にかかる電子部品の接続構造は、一対の端子の各端子が縦方向に固定手段を突出させることなく、前記突出片と前記接触片との間のデッドスペースを有効利用して前記端子を前記ハウジングに固定させることができるので、縦方向の寸法を増加させることなく前記端子を前記ハウジング内に固定させることができ、結果的に薄型化することができる。
【図面の簡単な説明】
【００１５】
【図１】図１は、本発明の実施の形態の電子部品の接続構造を有してなるＬＥＤ照明ユニットの構造を示した分解斜視図である。
【図２】図２は、図１に示した電線保持部を除いた状態のＬＥＤ照明ユニットの上面図である。
【図３】図３は、図２に示したＬＥＤ照明ユニットのＡ−Ａ線断面図である。
【図４】図４は、図２に示したＬＥＤ照明ユニットのＢ−Ｂ線断面図である。
【図５】図５は、図１に示した電子部品の接続構造の下面図である。
【図６】図６は、図１に示したハウジングの拡大斜視図である。
【図７】図７は、図６に示したハウジングの一部を断面で示した図である。
【図８】図８は、図１に示した端子の拡大斜視図である。
【図９】図９は、図１に示した電線保持部の詳細を説明するための図である。
【図１０】図１０は、図１に示したＬＥＤ照明ユニットの回路構成を示した回路図である。
【図１１】図１１は、本発明の実施の形態にかかる電子部品の接続構造を有してなるＬＥＤ照明ユニットの組立手順を示した図である。
【図１２】図１２は、本発明の実施の形態にかかる電子部品の接続構造を有してなるＬＥＤ照明ユニットの組立手順を示した図である。
【図１３】図１３は、本発明の実施の形態にかかる電子部品の接続構造を有してなるＬＥＤ照明ユニットの組立手順を示した図である。
【図１４】図１４は、本発明の実施の形態にかかる電子部品の接続構造を有してなるＬＥＤ照明ユニットの組立手順を示した図である。
【図１５】図１５は、本発明の実施の形態にかかる電子部品の接続構造を有してなるＬＥＤ照明ユニットの組立手順を示した図である。
【図１６】図１６は、本発明の実施の形態の電子部品の接続構造の変形例を示した図である。
【発明を実施するための形態】
【００１６】
以下、図面を参照して、本発明にかかる電子部品の接続構造の好適な実施の形態を詳細に説明する。
【００１７】
（実施の形態）
図１は、本発明の実施の形態の電子部品の接続構造１を有してなるＬＥＤ照明ユニット１００の構造を示した分解斜視図である。図２は、図１に示した電線保持部１２０を除いた状態のＬＥＤ照明ユニット１００の上面図である。図３は、図２に示したＬＥＤ照明ユニット１００のＡ−Ａ線断面図である。図４は、図２に示したＬＥＤ照明ユニット１００のＢ−Ｂ線断面図である。図５は、図１に示した電子部品の接続構造１の下面図である。図６は、図１に示したハウジング１０の拡大斜視図である。図７は、図６に示したハウジング１０の一部を断面で示した図である。図８は、図１に示した端子２０の拡大斜視図である。図９は、図１に示した電線保持部１２０の詳細を説明するための図である。図１０は、図１に示したＬＥＤ照明ユニット１００の回路構成を示した回路図である。
なお、図中、便宜上矢印の方向をそれぞれ前方向、後方向、上方向、下方向としている。
【００１８】
本発明の実施の形態にかかる電子部品の接続構造１を有してなるＬＥＤ照明ユニット１００は、２本の電線Ｗを一対の端子２０に電気的に接続させることによって、ＬＥＤ素子Ｌによる光の照射を行うものである。このＬＥＤ照明ユニット１００は、図１に示すように、ユニットハウジング１１０と、電子部品の接続構造１と、電線保持部１２０とを有してなる。
【００１９】
まず、ユニットハウジング１１０について説明する。ユニットハウジング１１０は、電子部品の接続構造１および電線保持部１２０を収容させるものである。このユニットハウジング１１０は、電子部品の接続構造１および電線保持部１２０を内部に収容させるための挿入口となる開口１１０ａが形成された筐体である。また、ユニットハウジング１１０内には、電子部品の接続構造１および電線保持部１２０が前から電子部品の接続構造１、電線保持部１２０の順で配置される。なお、ユニットハウジング１１０は、照明用開口部１１１および係合用開口部１１２を有してなる。
【００２０】
照明用開口部１１１は、ユニットハウジング１１０の上面を形成する壁に形成された開口であり、ユニットハウジング１１０内に収容されたＬＥＤ素子Ｌから出射される光を外部に向けて出射させるためのものである。なお、照明用開口部１１１は、レンズ等の透光性の部材によって蓋をされる構造であってもよい。
係合用開口部１１２は、ユニットハウジング１１０の開口１１０ａ近傍の側壁に形成された開口である。この係合用開口部１１２は、電線保持部１２０に設けられた後述するランス部１２２に係合されるものである。すなわち、係合用開口部１１２がランス部１２２と係合されることによって、ユニットハウジング１１０内に電子部品の接続構造１および電線保持部１２０を固定させることができる。
【００２１】
つぎに、電子部品の接続構造１について説明する。電子部品の接続構造１は、ハウジング１０と、ハウジング１０内に収容される一対の端子２０と、を有してなる。この電子部品の接続構造１は、ハウジング１０内に固定された一対の端子２０によってハウジング１０内に収容される電子部品を電気的に接続させるものである。すなわち、電子部品の接続構造１は、電子部品としてのＬＥＤ素子Ｌと、ツェナーダイオードＤと、抵抗板Ｒとを電気的に接続させてハウジング１０内に収容させている。この電子部品の接続構造部１がユニットハウジング１１０内に収容された場合、図３に示すように、ＬＥＤ素子Ｌが、照明用開口部１１１に対応する位置に配置され、各電線Ｗと接続される後述する圧接端子部２３ｂがユニットハウジング１１０の開口１１０ａ側に向けられる。
【００２２】
ハウジング１０は、絶縁性の材料からなり、上面に開口部１０ａを形成された筐体である。このハウジング１０は、図５〜図７に示すように、矩形状の底壁１１と、底壁１１の４辺のそれぞれから立設された、前壁１２と、前壁１２と向かい合う後壁１３と、向かい合う一対の側壁１４とを有してなる。また、ハウジング１０は、ＬＥＤ素子挿入口１２ａと、ツェナーダイオード挿入口１２ｂと、抵抗板挿入口１１ａと、分離壁１５と、端子固定部１６とを有してなる。
【００２３】
ＬＥＤ素子挿入口１２ａは、ハウジング１０内にＬＥＤ素子Ｌを挿入するため、前壁１２に形成された開口である。
ツェナーダイオード挿入口１２ｂは、ハウジング１０内にツェナーダイオードＤを挿入するため、前壁１１に形成された開口である。
抵抗板挿入口１１ａは、ハウジング１０内に抵抗板Ｒを挿入するため、底壁１１に形成された開口である。
【００２４】
分離壁１５は、向かい合う側壁１４の間の位置で側壁１４に並列して底壁１１から立設され、ハウジング１０内部の収容空間をほぼ２等分する壁である。この分離壁１５によって２分されたハウジング１０内の各収容空間には、各端子２０が収容される。これにより、各端子２０は、互いに接触されることなく絶縁状態を維持してハウジング１０内に収容される。
分離壁１５の壁面および分離壁１５に向かい合う各側壁１４の壁面には、垂直方向に直線状の一対の溝１５ａが形成され、この一対の溝１５ａが抵抗板Ｒをハウジング１０内の端子２０の接続位置に配置させるガイドとして機能される。
また、分離壁１５の前端部、かつＬＥＤ素子挿入口１２ａおよびツェナーダイオード挿入口１２ｂに対応する位置には、ＬＥＤ素子ＬおよびツェナーダイオードＤがハウジング１０内に収容可能とされる切り込み部１５ｂが形成されている。
【００２５】
端子固定部１６は、図３に示すように、分離壁１５の壁面１５ｃから突出して形成され、ハウジング１０の底壁１１とで端子２０を挟持固定させて、各端子２０をハウジング１０内に固定させるものである。
【００２６】
つぎに端子２０について説明する。
端子２０は、導電性の板状部材をプレス加工によって一体成形されたものである。端子２０は、図８に示すように、長方形状の天板部２０ａの長手方向に伸びる両辺から下方に向けて屈曲させて形成された第一の部品接続部２１および第二の部品接続部２２と、天板部２０ａの後方端部を下方に向けて屈曲させ、さらに後方に向けて屈曲させて形成された電線接続部２３とを有してなる。また、天板部２０ａは、天板部２０ａの長手方向に伸びる両辺を形成する両縁が下方に向けて屈曲された一対の曲げ縁部２０ｂを有してなる。
【００２７】
第一の部品接続部２１は、天板部２０ａの両縁から立設された板状の一対の基部２１ａと、各基部２１ａの下端から前方向（横方向）に伸ばされた一対の突出片２１ｂと、天板部２０ａと一対の突出片２１ｂとの間の各基部２１ａから前方向（横方向）に突出された一対の第一の接触片２１ｃおよび一対の第二の接触片２１ｄとを有してなる。
一対の第一の接触片２１ｃは、端部２１ｃｃに向けて天板部２０ａとの距離が短くなるように伸ばされ、かつ弾性を有してなる。
一対の第二の接触片２１ｄは、一対の第一の接触片２１ｃより下方に形成され、端部２１ｄｄに向けて突出片２１ｂとの距離が短くなるように伸ばされ、かつ弾性を有してなる。
このように構成された第一の部品接続部２１は、ＬＥＤ素子Ｌが電気的に接続されるＬＥＤ素子接続部２４およびツェナーダイオードＤが電気的に接続されるツェナーダイオード接続部２５を有してなる。
【００２８】
ＬＥＤ素子接続部２４は、天板部２０ａの一対の曲げ縁部２０ｂと、一対の第一の接触片２１ｃとによってＬＥＤ素子Ｌを挟持固定させるものである。すなわち、一対の曲げ縁部２０ｂと、一対の第一の接触片２１ｃとの間にＬＥＤ素子Ｌが挿入されることによって、一対の第一の接触片２１ｃの弾性を利用してＬＥＤ素子Ｌが挟持固定され、一対の端子２０とＬＥＤ素子Ｌとの電気的接続がなされる。
【００２９】
ツェナーダイオード接続部２５は、一対の突出片２１ｂと、一対の第二の接触片２１ｄとによってツェナーダイオードＤを挟持固定させるものである。すなわち、一対の突出片２１ｂと、一対の第二の接触片２１ｄとの間にツェナーダイオードＤが挿入されることによって、一対の第二の接触片２１ｄの弾性を利用してツェナーダイオードＤが挟持固定され、一対の端子２０とツェナーダイオードＤとの電気的接続がなされる。
【００３０】
第二の部品接続部２２は、一対の基部２１ａと、天板部２０ａの両縁から立設された一対の係合部２２ａと、一対の第三の接触片２２ｄとを有してなる。
一対の係合部２２ａは、主端面部２２ｂと、鉤状部２２ｃとを有してなる。
主端面部２２ｂは、垂直に伸びる端面を形成された部分である。この主端面部２２ｂは、端子２０がハウジング１０内に収容された場合、図３に示すように、後壁１３の内面に面接触される。
鉤状部２２ｃは、係合部２２ａの下部の鉤状に形成された部分である。この鉤状部２２ｃは、端子２０がハウジング１０内に収容された場合、図３に示すように、後壁１３の内面側に形成された内面側段差１３ａに係合される。
【００３１】
一対の第三の接触片２２ｄは、図８に示すように、一対の基部２１ａと一対の係合部２２ａとの間の位置で天板部２０ａから下方に伸ばされた一対の弾性片である。この一対の第三の接触片２２ｄは、その端部に向けて一対の基部２１ａとの距離を短くするように伸ばされている。
このように構成された第二の部品接続部２２は、抵抗板Ｒが電気的に接続される抵抗板接続部２６を有してなる。
【００３２】
抵抗板接続部２６は、一対の基部２１ａと、一対の第三の接触片２２ｄとによって抵抗板Ｒを挟持固定させるものである。すなわち、一対の基部２１ａと、一対の第三の接触片２２ｄとの間に抵抗板Ｒが挿入されることによって、一対の第三の接触片２２ｄの弾性を利用して抵抗板Ｒが挟持固定され、端子２０と抵抗板Ｒとの電気的接続がなされる。
【００３３】
電線接続部２３は、壁面接触部２３ａと、圧接端子部２３ｂとを有してなる。
壁面接触部２３ａは、天板部２０ａが下方に向けて屈曲された部分である。この壁面接触部２３ａは、図３に示すように、端子２０がハウジング１０内に収容された場合、後壁１３の上端面を含む外面に沿った曲げ形状に形成されている。
【００３４】
圧接端子部２３ｂは、図８に示すように、下方に屈曲された壁面接触部２３ａからさらに後方向に屈曲して形成された部分である。この圧接端子部２３ｂは、Ｕ字状に形成された切り欠き２３ｃが形成され、電線Ｗがこの切り欠き２３ｃに圧入されることによって電線Ｗと端子２０とが電気的に接続される。
【００３５】
なお、壁面接触部２３ａと圧接端子部２３ｂの境界となる屈曲部分は、図３に示すように、後壁１３に形成された外面側段差１３ｂと係合するように形成されているので、端子２０が壁面接触部２３ａと一対の係合部２２ａによって後壁１３を挟み込むようになっている。
【００３６】
ここで、端子固定部１６についてさらに詳細に説明する。
端子固定部１６は、図３に示すように、一対の端子２０の各端子２０がハウジング１０内に収容された場合、各端子２０の一対の突出片２１ｂと一対の第二の接触片２１ｄとの間、かつ一対の基部２１ａの近傍に分離壁１５の側面から突出して形成され、ハウジング１０の底壁１１とで突出片２１ｂを挟持固定させ、各端子２０をハウジング１０内に固定させるものである。
【００３７】
より具体的には、端子固定部１６は、図７に示すように、ハウジング１０の２分された収容空間に対して突出されるように、分離壁１５の両側面から突出して形成されている。また、端子固定部１６は、下方に向けて分離壁１５との距離が離れるように形成された傾斜面１６ａ、および法線を垂直方向に向けた平坦面である下端面１６ｂを有してなる。このため、端子２０がハウジング１０内に収容された場合、図３に示すように、一対の突出片２１ｂは、端子固定部１６の下端面１６ｂと底壁１１の上面との間の位置で、端子固定部１６と底壁１１とに挟まれて固定されている。
ここで、一対の第二の接触片２１ｄは、端部２１ｄｄに向けて突出片２１ｂとの距離が短くなるように伸ばされているものの、第二の接触片２１ｄと突出片２１ｂとの距離が離れている基部２１ａ近傍のデッドスペースに端子固定部１６が配置されているので、端子固定部１６と第二の接触片２１ｄとが干渉しないようになっている。
【００３８】
つぎに、電線保持部１２０について説明する。
電線保持部１２０は、図９に示すように、折り返して屈曲させた各電線Ｗの屈曲部分を保持した状態でユニットハウジング１１０内に収容され、ユニットハウジング１１０内で各電線Ｗを各端子２０に電気的に接続させるものである。
この電線保持部１２０は、一対の端子２０の各端子２０に電気的に接続される２本の電線Ｗが保持されている。また、電線保持部１２０は、屈曲保持部１２１およびランス部１２２を有してなる。
【００３９】
屈曲保持部１２１は、折り返して屈曲させた各電線Ｗの屈曲部分を保持するものである。この屈曲保持部１２１は、各圧接端子部２３ｂに各電線Ｗの屈曲部分が圧接される位置までユニットハウジング１１０内に挿入されるように形成されている。また、屈曲保持部１２１は、圧接端子部２３ｂが電線Ｗに接続されるように形成された切り込み１２１ａを前端部に有してなる。
ランス部１２２は、ユニットハウジング１１０に形成された係合用開口部１１２と係合することによって、電線保持部１２０をユニットハウジング１１０内に固定させるものである。
この電線保持部１２０が、各電線Ｗを屈曲して保持させた状態でユニットハウジング１１０内に収容されることによって一対の圧接端子部２３ｂのそれぞれが各電線Ｗと電気的に接続される。
【００４０】
このような構成のＬＥＤ照明ユニット１００は、図１０に示すように、ＬＥＤ素子ＬとツェナーダイオードＤとを並列接続させてＬＥＤ素子Ｌを過電圧から保護するように構成されている。
【００４１】
つぎに、図１１〜図１５を用いて本発明の実施の形態にかかる電子部品の接続構造１を有してなるＬＥＤ照明ユニット１００の組立手順について説明する。図１１〜図１５は、本発明の実施の形態にかかる電子部品の接続構造１を有してなるＬＥＤ照明ユニット１００の組立手順を示した図である。
まず、作業者は、図１１に示すように、ハウジング１０内に一対の端子２０を収容する。この際、各端子２０はハウジング１０の開口部１０ａから挿入される。この場合、各端子２０は、分離壁１５側の突出片２１ｂの壁面が端子固定部１６の傾斜面１６ａになめらかに接触しながら下方へ移動され、突出片２１ｂが端子固定部１６の下端面１６ｂと底壁１１の上面との間に位置されてハウジング１０に固定される。
【００４２】
その後、作業者は、図１２に示すように、ＬＥＤ素子ＬおよびツェナーダイオードＤを一対の端子２０に接続させる。より具体的には、ＬＥＤ素子Ｌが、ＬＥＤ素子挿入口１２ａからハウジング１０内に挿入され、一対の曲げ縁部２０ｂと一対の第一の接触片２１ｃとの間に配置される。この際、ＬＥＤ素子Ｌが、一対の第一の接触片２１ｃの弾性を利用して一対の曲げ縁部２０ｂと一対の第一の接触片２１ｃとの間隔を押し広げながら挿入される。このため、一対の第一の接触片２１ｃによって一対の曲げ縁部２０ｂへ向けた付勢力がかかるので、ＬＥＤ素子Ｌが、図３に示すように、一対の曲げ縁部２０ｂと一対の第一の接触片２１ｃとの間で保持される。
【００４３】
ツェナーダイオードＤは、ツェナーダイオード挿入口１２ｂから挿入され、一対の突出片２１ｂと、一対の第二の接触片２１ｄとの間に配置される。この際、ツェナーダイオードＤが、一対の第二の接触片２１ｄの弾性を利用して一対の突出片２１ｂと一対の第二の接触片２１ｄとの間隔を押し広げながら挿入される。このため、一対の第二の接触片２１ｄによって一対の突出片２１ｂへ向けた付勢力がかかるので、ツェナーダイオードＤが、図３に示すように、一対の突出片２１ｂと、一対の第二の接触片２１ｄとの間で保持される。
【００４４】
その後、作業者は、図１３に示すように、抵抗板Ｒを一対の端子２０に接続させる。この際、抵抗板Ｒは、抵抗板挿入口１１ａから一対の溝１５ａによってガイドされながらハウジング１０内に挿入され、一対の基部２１ａと一対の第三の接触片２２ｄとの間に配置される。また、抵抗板Ｒが、一対の第三の接触片２２ｄの弾性を利用して基部２１ａと一対の第三の接触片２２ｄとの間隔を押し広げながら挿入される。このため、一対の第三の接触片２２ｄによって一対の基部２１ａへ向けた付勢力がかかるので、抵抗板Ｒが、図３に示すように、一対の基部２１ａと一対の第三の接触片２２ｄとの間で保持される。
ここまでの組立作業によって、電子部品の接続構造１が完成される。
【００４５】
その後、作業者は、図１４に示すように、電子部品の接続構造１をユニットハウジング１１０内に収容する。これによって、ＬＥＤ素子Ｌがユニットハウジング１１０の照明用開口部１１１に対応した位置に配置される。また、一対の端子２０の各圧接端子部２３ｂが、ユニットハウジング１１０の開口１１０ａ側に向けて配置される。
【００４６】
その後、作業者は、図１５に示すように、電線保持部１２０をユニットハウジング１１０内に収容する。これによって、ＬＥＤ照明ユニット１００が完成される。電線保持部１２０がユニットハウジング１１０の開口１１０ａからユニットハウジング１１０内の所定位置まで押し込まれると各電線Ｗが各圧接端子部２３ｂの切り欠き２３ｃ内に圧入され、各電線Ｗと各端子２０とが電気的に接続される。このように、各電線Ｗと各端子２０とが電気的に接続された状態で、ランス部１２２がユニットハウジング１１０の係合用開口部１１２に係合されるので、電線保持部１２０が各電線Ｗと各端子２０の接続を維持した状態でユニットハウジング１１０内に固定される。
【００４７】
本発明の実施の形態の電子部品の接続構造１は、各端子２０が縦方向に固定手段を突出させることなく、一対の突出片２１ｂと一対の第二の接触片２１ｄとの間のデッドスペースを有効利用して各端子２０をハウジング１０に固定させることができるので、縦方向の寸法を増加させることなく各端子２０をハウジング１０内に固定させることができ、結果的に薄型化することができる。
【００４８】
また、本発明の実施の形態の電子部品の接続構造１は、端子固定部１６が分離壁１５の側面１５ａに形成されてなるので、縦方向の寸法を増加させることなく各端子２０をハウジング１０内に固定させることができる。
【００４９】
また、本発明の実施の形態の電子部品の接続構造１は、ハウジング１０は上面が開口されてなり、端子固定部１６がハウジング１０の底壁１１とで各端子２０の一対の突出片２１ｂを挟持固定させるようにしているので、ハウジング１０の上面に壁を設けることなく各端子２０をハウジング１０内に固定させることができ、結果的に薄型化することができる。
【００５０】
また、本発明の実施の形態の電子部品の接続構造１は、端子固定部１６が下方に向けて分離壁１５の側面からの距離が離れるように形成された傾斜面１６ａを有してなるので、各端子２０をハウジング１０の上方からハウジング１０内に収容させる際、端子固定部１６と底壁１１との間に突出片２１ｂを容易に配置させることができる。
【００５１】
（変形例）
ここで、本発明の実施の形態の電子部品の接続構造１の変形例について図１６を用いて説明する。図１６は、本発明の実施の形態の電子部品の接続構造の変形例を示した図である。
本発明の実施の形態の電子部品の接続構造１は、端子固定部１６がハウジング１０の底壁１１とで端子２０を挟持固定させるものを例示したが、この変形例の電子部品の接続構造２では、端子固定部１８が、ハウジング１０が上面を形成する上壁１７とで端子２０を挟持固定させている。
端子固定部１８は、一対の端子２０の各端子２０がハウジング１０内に収容される場合、各端子２０の天板部２０ａと一対の第一の接触片２１ｃとの間、かつ一対の基部２１ａの近傍に分離壁１５の側面から突出して形成され、ハウジング１０の上壁１７とで天板部２０ａを挟持固定させ、各端子２０をハウジング１０内に固定させるものである。すなわち、天板部２０ａは、基部２１ａから横方向伸ばされているため、突出片２１ｂと同様の機能をなしている。このため、この変形例の電子部品の接続構造２は、実施の形態の電子部品の接続構造１と同様に、縦方向の寸法を増加させることなく各端子２０をハウジング１０内に固定させることができ、結果的に薄型化することができる。
【００５２】
なお、この変形例の上壁１７は、端子固定部１８とで端子２０を挟持固定させることができれば、ハウジング１０の上面の一部に形成されるだけでよい。
また、よい好ましくは、端子固定部１８とで挟持固定させる部分の端子２０の縦方向の厚さを薄く形成するとよい。この場合、上壁１７を設けたとしても縦方向の厚さを増加させることがない。
【００５３】
なお、本発明の実施の形態の電子部品の接続構造１は、一対の端子２０を用いるものを例示したが、これに限らない。すなわち、電子部品と電気的に接続される２つ以上の端子をもちいればよい。
【００５４】
また、本発明の実施の形態の電子部品の接続構造１は、端子２０が板状の部材をプレスによって成形したものを例示したが、これに限らない。すなわち、基部２１ａと、基部２１ａから横方向伸ばされた突出片２１ｂあるいは天板部２０ａと、基部２１ａから端部に向けて突出片２１ｂあるいは天板部２０ａとの距離を短くするように横方向に伸ばされ、かつ弾性を有してなる接触片と、を有してなる端子であればよい。
【００５５】
また、本発明の実施の形態の電子部品の接続構造１は、端子固定部１６が分離壁１５の側面に形成されるものを例示したが、これに限らない。すなわち、各端子２０がハウジング１０内に収容された場合、一対の突出片２１ｂと一対の第二の接触片２１ｄとの間、かつ一対の基部２１ａの近傍位置にハウジング１０の壁面から突出して形成されていればよい。例えば、端子固定部１６が側壁１４に形成されるようにしてもよい。
【００５６】
また、本発明の実施の形態の電子部品の接続構造１は、電子部品としてＬＥＤ素子Ｌ、ツェナーダイオードＤおよび抵抗板Ｒが、一対の端子２０と電気的に接続されるものを例示したが、これに限らない。すなわち、その他の電子部品が一対の端子２０に接続されるものであってもよい。
【００５７】
なお、この実施の形態によってこの発明が限定されるものではない。
【符号の説明】
【００５８】
１、２  電子部品の接続構造
１０    ハウジング
１０ａ  開口部
１１    底壁
１１ａ  抵抗板挿入口
１２    前壁
１２ａ  ＬＥＤ素子挿入口
１２ｂ  ツェナーダイオード挿入口
１３    後壁
１３ａ  内面側段差
１３ｂ  外面側段差
１４    側壁
１５    分離壁
１５ａ  溝
１５ｂ  切り込み部
１５ｃ  壁面
１６、１８    端子固定部
１６ａ  傾斜面
１６ｂ  下端面
１７    上壁
２０    端子
２０ａ  天板部
２０ｂ  曲げ縁部
２１    第一の部品接続部
２１ａ  基部
２１ｂ  突出片
２１ｃ  第一の接触片
２１ｃｃ  端部
２１ｄ  第二の接触片
２１ｄｄ  端部
２２    第二の部品接続部
２２ａ  係合部
２２ｂ  主端面部
２２ｃ  鉤状部
２２ｄ  第三の接触片
２３    電線接続部
２３ａ  壁面接触部
２３ｂ  圧接端子部
２３ｃ  切り欠き
２４    ＬＥＤ素子接続部
２５    ツェナーダイオード接続部
２６    抵抗板接続部
１００  ＬＥＤ照明ユニット
１１０  ユニットハウジング
１１０ａ  開口
１１１  照明用開口部
１１２  係合用開口部
１２０  電線保持部
１２１  屈曲保持部
１２１ａ  切り込み
１２２  ランス部
Ｌ      ＬＥＤ素子
Ｄ      ツェナーダイオード
Ｒ      抵抗板
Ｗ      電線
【図１】
0005718631.tif 000002
【図２】
0005718631.tif 000003
【図３】
0005718631.tif 000004
【図４】
0005718631.tif 000005
【図５】
0005718631.tif 000006
【図６】
0005718631.tif 000007
【図７】
0005718631.tif 000008
【図８】
0005718631.tif 000009
【図９】
0005718631.tif 000010
【図１０】
0005718631.tif 000011
【図１１】
0005718631.tif 000012
【図１２】
0005718631.tif 000013
【図１３】
0005718631.tif 000014
【図１４】
0005718631.tif 000015
【図１５】
0005718631.tif 000016
【図１６】
0005718631.tif 000017